(57)【要約】      （修正有）【課題】状況に合わせたネクタイと、状況や場所・会場に合ったピンを装備して参列・参加をし、女性の装飾品としても着物・洋服の襟の部分へと装備でき、その状況を判断し多機能・多目的なネクタイピンを提供する。【解決手段】デザインを両面に施す事で、冠婚・葬儀時とデザインを容易に変換出来る様にし、又、女性が葬儀時に着物・洋装備時はピンのデザインは真珠・蓮の花・水連の花等悲しみ・寂しさを表すデザインを着物の襟・胸部分へ装備する事もでき、この様に社章・名前・ネーム・絵画・美術・工芸・芸術・風景・季節感・草花・果実を固定又は写真画像等を他種：多様な異なるデザインの変換を容易にする、両面デザインネクタイピン。【選択図】図１
2018175820.tif 000002
【特許請求の範囲】
【請求項１】
両面デザインネクタイピンは男性礼服装備・女性のアクセサリーと限らずに、アクセサリー類に属し、冠婚・葬祭等と社章・名前・ネーム等に限らず装飾品として絵画美術・工芸・芸術品・風景・季節感・草花・果樹等の多種・多様なデザインを施す事を目的とし、男性がネクタイ装着時また女性の着物装備には着物の襟部分へ装備する時のピンは外枠部に差し込み枠を施したピンで装備し会場と状況に合ったピンに変える事とし、両面デザインの構成で作成する事で固定的なデザインの社章・ネーム・名前等と同時に、風景・写真・美術絵画・季節の草花等のデザインをも表示する事が出来るし、その時のピンは外枠部分へ差し込み枠を施し装備する事で脱落が防止でき、冠婚・葬祭等とに限らずに、装飾品・アクセサリーとしても使用でき、ネクタイのピンが容易な変換動作で多機能性・多様性の分野の拡大をした、両面デザインのネクタイのピンの構成。
【発明の詳細な説明】
【技術分野】
【０００１】  本発明は、男性の礼装服及び一般正装服を着装した時に装備をするネクタイを留めるピンへ固定又は差し込み写真等のデザインを両面に施す事で利用分野拡大を図る事とし、冠婚・葬祭一般正装服等の装着時には、必ずネクタイ装備をする、その時はワイシャツとネクタイの離れ防止に留置くピンが必要となる。
社章・名前・ネーム絵画・美術・工芸・芸術・風景・季節感・草花・果樹等を固定・又は数枚の写真を差し込む部分を施し、よってピンのデザインを変換する事で、冠婚・葬祭等の会場・一般正装・レジャー服等に合わせピンを変換をする事でネクタイピンの利用分野の利用の拡大に関する。
【背景技術】
【０００２】  従来のネクタイピンは片面の表面だけを重視しデザインを施しているために裏面はワイシャツを挟み置くという事のみの構造体で作成され、そのためピンの裏面は余白部分となった様な状態で作成されている。
よって、その会場・状況や場所に合ったピンを装備するには、その会場状況場所に合ったピンを変換する必要がとなる、その事で其々の異なったデザインのピンを、数個に合わせ持ち、揃えているのが現状である。
【発明の概要】
【発明が解決しようとする課題】
【０００３】従来のネクタイピンは表面だけを重視し、デザインを施し裏面はワイシャツを挟み置くという事のみに作成されている為に、利用分野が限られている。
男・女に限らず冠婚・葬祭・一般正装服等の装着時にはネクタイ装備をする
その際は状況に合わせたネクタイと状況や場所・会場に合ったピンを装備して参列・参加をし、女性の装飾品としても着物・洋服の襟の部分へと装備でき、その状況を判断し多機能・多目的なネクタイピン・装飾品を課題とした。
【課題を解決するための手段】
【０００４】  両面のデザインは片面に社章・名前一方の片面に美術・工芸・芸術品・季節の草花・果樹等を施す事でアクセサリーとなり、会場の雰囲気・状況の雰囲気も一変し、よって、その両面デザインは、固定又は写真の差し込み枠を装備し、その中へ美術品・絵画・工芸・芸術品・季節の草花・果樹等の写真を入れ装備する事を課題を解決するための手段とした。
【発明の効果】
【０００５】  この両面デザインネクタイピンは男性礼服装備・女性のお洒落装飾品アクセサリーにも使用ができ、女性の装飾品として着物・洋服の襟・胸元部分等へも、装備ができ、絵画・美術・工芸・芸術品・季節の草花・果樹等の多種多様な、デザインで話題が出来、又、その会場内の状況に合わせピンを変換する事により雰囲気を変える効果があり、又、変換が容易な事により、日時と会場が重なってもネクタイピンのデザインを変える事で用が成しえる。【０００６】  よって、このピンの社章・名前・ネーム・また、装飾デザインピンの季節の草花・果樹等を見て、話しをする事で心が和み諸々の話題が生じて、その販売社員と客との親近感・信頼感が沸き出し、希薄となった会場内の雰囲気や状況等も変える効果もあり、商品を選ぶお客様はその販売社員への親近感・信頼度等も深まり商品購入へとの相乗効果も出てくる、先人よりの伝えで商いをするには、商品を売る時には自分を売れが原則であると言う格言がある。
【図面の簡単な説明】
【０００７】
【図１】  両面デザインネクタイピンの本体の１平面図と、２はピンの本体を手でバネを押さえ挟み、その反発力が下生地とネクタイのズレ防止を挟み留める部分の状態・形態構成を表した全体構成の側面図。
【図２】  写真等の差し込み部と、ピンから脱落防止の枠を点線で示した３平面図。
【発明を実施するための形態】
【０００８】  この両面デザインをしたピンは、男性の礼服装備時・女性のアクセサリーにも適用出来、冠婚・葬祭等と限らず女性の装飾品として着物・洋服の襟の部分へも装備が出来る、又、両面のデザインは固定、または差し込み枠を装備して、その中へ写真等を入れ社章・名前・ネーム・美術品・芸術品・季節の草花等、多種・多様なデザインを施す事で、多様性・分野の拡大で両面デザインとした。
【０００９】  ネクタイを挟む両面裏側部分にズレ防止部を施し、両面デザインしたピンを差入れワイシャツ・生地等、両生地のズレ防止にネクタイピンで挟む事となる、従来の冠婚・葬祭・一般正装服等と限定せずに、その会場の雰囲気や状況に合わせて瞬時に変換できる事で葬祭が終わり祝辞事等と重なる場合２種類のピンを持ち歩きせず、ピンのデザインを選び表面に表せば容易となる。
【実施例】
【００１０】  本発明の両面デザインネクタイピンは男性・女性とに限らず男性の礼服装備の冠婚・葬祭・祝い後等の式場や会場で、男性のネクタイ装備は比須条件ではあるが、一般にネクタイをした時・旅行や祝い事・集い時等でネクタイを装着時には、美術品・風景・芸術品・季節の草花・果樹等、多種・多様なデザイン等を両面にデザインを施す事で、アクセサリーとして使用分野の多様性・分野の拡大で両面のデザインをする。又、女性の着物・洋服等正装で旅行や祝事・集い等の時に装飾品・アクセサリーとし着物・洋服等の襟・胸の部分へお洒落に季節の草花等のデザイン装備をする事で会場を和やかにする。
【産業上の利用可能性】
【００１１】  この両面デザインをしたピンは、男性の礼服装備時・女性のアクセサリーにも適用でき、冠婚・葬祭等と限らず女性の装飾品として着物・洋服の襟の部分へも装備が出来る、社章・名前・ネーム・美術品・工芸・芸術品・季節の草花・果樹等、多種・多様なデザイン等を、両面にデザインを多彩に施す事で装飾品・アクセサリーとして使用の多様性・分野の拡大で両面デザインピンとした。【００１２】  その事で従来、様々な商品の新型モデル等の発表会・販売等の会場に於いて、社章・名前札等をパスに入れ、首に掛け分かり易く明示しているが、販売目的販売手段の証明書と敬遠され、社員と客とのコミュニケーションが希薄となり、その為に、ただの見てるだけよぅの雰囲気になり、今、一歩の進展に欠ける。【００１３】  よって、ピンの社章・名前に限らずに雑談や諸々の装飾デザインピンの話し等が出て、社員も胸に付けた装飾デザインピンの風景・子供写真・季節の草花・果樹等の話が出来て、お客様とのコミュニケーションがお客様と相互間に出る事で、お客様も商品を選び購入となり、前記した商品を売る時は自分を売れが原則の言葉であり、相乗効果も出てくる、又、会場の社員も家族写真・風景・季節の草花・果樹等の装飾デザインピンを胸に付ける事で、会場内の雰囲気等を変える効果も出てくる。【００１４】  両面デザインネクタイピンは両面デザインにする事で男性・女性に限らず、又、冠婚・葬祭時等と限らず、装飾品としても装備が出来て、旅行・集い時や祝い事等でネクタイを装着時にはピンのデザインを変えて女性社員も装飾品・アクセサリー・お洒落用品としても装備ができ、着物・洋服の襟・胸元部分等へ美術品・季節の草花等のデザインを装備をする事で会場内を賑やかにする。
【符号の説明】
【００１５】１．  両面デザインネクタイピン平面図でピンを装備した平面図。
２．  両面デザインネクタイピンを装備状態を示し、生地とのズレ防止部分をバネを利用      したネクタイピンで、生地を挟んだ状態を表した本体側面図。
３  ．両面デザインネクタイピンに、各ネーム・写真・絵画・美術品等を差し込むピンの      外即面に脱落防止のために枠を施す部分を点線で表示し、又、ネクタイと下生地を      挟み留め置く時のズレ防止部分の形状を示した。
【図１】
2018175820.tif 000003
【図２】
2018175820.tif 000004